(57)【要約】【課題】サブ1GHzネットワーク(たとえば、IEEE802.11ahネットワーク)内のメッセージの特性を制御するシステムおよび方法を開示することを目的とする。【解決手段】利用可能なフレームフォーマットおよび/またはタイミングパラメータを示す1つまたは複数のデータ構造は、送信機および受信機に記憶されるか、またはアクセス可能であり得る。データ構造は、ワイヤレスネットワークで使用中のフレームフォーマット、ワイヤレスネットワークの帯域幅、および/または空間ストリームの数に基づいて編成することができる。データ構造に記憶される情報は、サブ1GHzネットワークを介して通信されるメッセージの生成および処理で使用することができる。【選択図】図１
2019013047.tif 000002
【特許請求の範囲】
【請求項１】
特定の帯域幅で動作するサブ1ギガヘルツワイヤレスネットワークを介してパケットを通信する際に使用するフレームフォーマットを送信機で選択するステップであって、前記フレームフォーマットが前記特定の帯域幅に少なくとも部分的に基づいて選択される、ステップと、
前記選択されたフレームフォーマットおよび前記特定の帯域幅に基づいて、1つまたは複数のタイミングパラメータを決定するステップと、
前記選択されたフレームフォーマットおよび前記1つまたは複数のタイミングパラメータに従って前記パケットを生成するステップと、
前記送信機から受信機に前記パケットを送るステップと
を含み、
前記特定の帯域幅が1メガヘルツであるとき、前記選択されたフレームフォーマットがショートフレームフォーマットであり、
前記特定の帯域幅が1メガヘルツよりも大きいとき、前記選択されたフレームフォーマットが前記ショートフレームフォーマットまたはロングフレームフォーマットである、
方法。
【請求項２】
前記サブ1ギガヘルツワイヤレスネットワークが、IEEE（アイ・トリプル・イー）802.11ahプロトコルに従って動作する、請求項1に記載の方法。
【請求項３】
前記ショートフレームフォーマットが、ショートトレーニングフィールド(STF)と、ロングトレーニングフィールド(LTF)と、信号フィールド(SIG)と、データ部分とを備える、請求項1に記載の方法。
【請求項４】
2つ以上の空間ストリームが使用中であるとき、前記ショートフレームフォーマットが、1つまたは複数の追加LTFをさらに備える、請求項3に記載の方法。
【請求項５】
前記ロングフレームフォーマットが、プリコーディングなしの第1の部分と、プリコーディングありの第2の部分とを備え、
前記第1の部分が、ショートトレーニングフィールド(STF)と、第1のロングトレーニングフィールド(LTF)と、信号Aフィールド(SIG-A)とを備え、
前記第2の部分が、第2のSTFと、1つまたは複数の信号Bフィールド(SIG-B)と、データ部分とを備える、
請求項1に記載の方法。
【請求項６】
2つ以上の空間ストリームが使用中であるとき、前記ロングフレームフォーマットが、1つまたは複数の追加LTFをさらに備える、請求項5に記載の方法。
【請求項７】
前記特定の帯域幅が、1メガヘルツ(MHz)、2MHz、4MHz、8MHz、または16MHzを含む、請求項1に記載の方法。
【請求項８】
前記1つまたは複数のタイミングパラメータに、
複合データサブキャリアの数、
パイロットサブキャリアの数、
ガードを除く合計サブキャリアの数、
最も高いデータサブキャリアインデックス、
サブキャリア周波数間隔、
離散フーリエ変換(DFT)期間、
逆DFT(IDFT)期間、  ガードインターバル継続時間、
ダブルガードインターバル継続時間、
ショートガードインターバル継続時間、
ロングガードインターバルを有する直交周波数分割多重(OFDM)シンボル継続時間、
ショートガードインターバルを有するOFDMシンボル継続時間、
OFDMシンボル継続時間、
SERVICEフィールド内のビット数、
バイナリ畳み込み符号エンコーダ当たりのテールビットの数、
ショートトレーニングフィールド(STF)継続時間、
ロングトレーニングフィールド(LTF)継続時間、
信号フィールド(SIG)継続時間、
信号Aフィールド(SIG-A)継続時間、
多入力多出力LTF(MIMO-LTF)継続時間、
ロングフォーマットSTF継続時間、
信号Bフィールド(SIG-B)継続時間、
またはそれらの任意の組合せ
が含まれる、請求項1に記載の方法。
【請求項９】
前記STF継続時間、前記LTF継続時間、ならびに前記SIG継続時間および前記SIG-A継続時間のうちの1つが、各々、前記特定の帯域幅が1メガヘルツよりも大きいときより、前記特定の帯域幅が1メガヘルツであるときの方が長い、請求項8に記載の方法。
【請求項１０】
前記サブキャリア周波数間隔が31.25キロヘルツ(KHz)であり、
前記DFT期間が32マイクロ秒(μs)であり、
前記IDFT期間が32μsであり、
前記ガードインターバル継続時間が8μsであり、
ダブルガードインターバル継続時間が16μsであり、
ショートガードインターバル継続時間が4μsであり、
ロングガードインターバルを有する前記OFDMシンボル継続時間が40μsであり、
ショートガードインターバルを有する前記OFDMシンボル継続時間が36μsであり、
前記OFDMシンボル継続時間が40μsまたは36μsであり、
前記SERVICEフィールド内の前記ビット数が16であり、
前記バイナリ畳み込み符号エンコーダ当たりのテールビットの数が6であり、
前記MIMO-LTF継続時間が40μsである、
請求項8に記載の方法。
【請求項１１】
前記特定の帯域幅が1メガヘルツ(MHz)であるとき、
前記複合データサブキャリアの数が24であり、
前記パイロットサブキャリアの数が2であり、
前記ガードを除く合計サブキャリアの数が26であり、
前記最も高いデータサブキャリアインデックスが13であり、
前記STF継続時間が160マイクロ秒(μs)であり、
前記LTF継続時間が160μsであり、
前記SIG継続時間が240μsまたは200μsである、
請求項8に記載の方法。
【請求項１２】
前記特定の帯域幅が1メガヘルツ(MHz)よりも大きいとき、
前記STF継続時間が80マイクロ秒(μs)であり、
前記LTF継続時間が8μsであり、
前記SIG継続時間が80μsであり、  前記SIG-A継続時間が80μsであり、
前記ロングフォーマットSTF継続時間が40μsであり、
前記SIG-B継続時間が40μsである、
請求項8に記載の方法。
【請求項１３】
前記特定の帯域幅が2メガヘルツ(MHz)であるとき、
前記複合データサブキャリアの数が52であり、
前記パイロットサブキャリアの数が4であり、
前記ガードを除く合計サブキャリアの数が56であり、
前記最も高いデータサブキャリアインデックスが28である、
請求項8に記載の方法。
【請求項１４】
前記特定の帯域幅が4メガヘルツ(MHz)であるとき、
前記複合データサブキャリアの数が108であり、
前記パイロットサブキャリアの数が6であり、
前記ガードを除く合計サブキャリアの数が114であり、
前記最も高いデータサブキャリアインデックスが58である、
請求項8に記載の方法。
【請求項１５】
前記特定の帯域幅が8メガヘルツ(MHz)であるとき、
前記複合データサブキャリアの数が234であり、
前記パイロットサブキャリアの数が8であり、
前記ガードを除く合計サブキャリアの数が242であり、
前記最も高いデータサブキャリアインデックスが122である、
請求項8に記載の方法。
【請求項１６】
前記特定の帯域幅が16メガヘルツ(MHz)であるとき、
前記複合データサブキャリアの数が468であり、
前記パイロットサブキャリアの数が16であり、
前記ガードを除く合計サブキャリアの数が484であり、
前記最も高いデータサブキャリアインデックスが250である、
請求項8に記載の方法。
【請求項１７】
サブ1ギガヘルツワイヤレスネットワークの複数の動作帯域幅の各々について、前記サブ1ギガヘルツワイヤレスネットワークのショートフレームフォーマットおよびロングフレームフォーマット用のタイミングパラメータを示す1つまたは複数のデータ構造
を記憶する、非一時的プロセッサ可読媒体であって、
前記タイミングパラメータに、
複合データサブキャリアの数、
パイロットサブキャリアの数、
ガードを除く合計サブキャリアの数、
最も高いデータサブキャリアインデックス、
サブキャリア周波数間隔、
逆離散フーリエ変換期間、
離散フーリエ変換期間、
ガードインターバル継続時間、
ダブルガードインターバル継続時間、
ショートガードインターバル継続時間、
ロングガードインターバルを有する直交周波数分割多重(OFDM)シンボル継続時間、
ショートガードインターバルを有するOFDMシンボル継続時間、    OFDMシンボル継続時間、
SERVICEフィールド内のビット数、
バイナリ畳み込み符号エンコーダ当たりのテールビットの数、
ショートトレーニングフィールド(STF)継続時間、
ロングトレーニングフィールド(LTF)継続時間、
信号フィールド(SIG)継続時間、
信号Aフィールド(SIG-A)継続時間、
多入力多出力LTF(MIMO-LTF)継続時間、
ロングフォーマットSTF継続時間、
信号Bフィールド(SIG-B)継続時間、
またはそれらの任意の組合せ
が含まれる、
非一時的プロセッサ可読媒体。
【請求項１８】
サブ1ギガヘルツワイヤレスネットワークの複数のフレームフォーマットおよび複数の帯域幅用のタイミングパラメータを示す1つまたは複数のデータ構造を記憶する、メモリと、
前記メモリに結合されたプロセッサと
を備える装置であって、
前記プロセッサが、
特定の帯域幅で動作する前記サブ1ギガヘルツワイヤレスネットワークを介してパケットを通信する際に使用するフレームフォーマットを選択することであって、前記フレームフォーマットが前記特定の帯域幅に少なくとも部分的に基づいて選択される、選択することと、
前記選択されたフレームフォーマットおよび前記特定の帯域幅に基づいて、1つまたは複数のタイミングパラメータを決定することと、
前記選択されたフレームフォーマットおよび前記1つまたは複数のタイミングパラメータに従って前記パケットを生成することと
を行うように構成され、
前記特定の帯域幅が1メガヘルツであるとき、前記選択されたフレームフォーマットがショートフレームフォーマットであり、
前記特定の帯域幅が1メガヘルツよりも大きいとき、前記選択されたフレームフォーマットが前記ショートフレームフォーマットまたはロングフレームフォーマットである、
装置。
【請求項１９】
前記サブ1ギガヘルツワイヤレスネットワークが、IEEE（アイ・トリプル・イー）802.11ahプロトコルに従って動作する、請求項18に記載の装置。
【請求項２０】
サブ1ギガヘルツワイヤレスネットワークの複数のフレームフォーマットおよび複数の帯域幅用のタイミングパラメータを示す1つまたは複数のデータ構造を記憶するための手段と、
特定の帯域幅で動作する前記サブ1ギガヘルツワイヤレスネットワークを介してパケットを通信する際に使用するフレームフォーマットを選択するための手段であって、前記フレームフォーマットが前記特定の帯域幅に少なくとも部分的に基づいて選択される、手段と、
前記選択されたフレームフォーマットおよび前記特定の帯域幅に基づいて、1つまたは複数のタイミングパラメータを決定するための手段と、
前記選択されたフレームフォーマットおよび前記1つまたは複数のタイミングパラメータに従って前記パケットを生成するための手段と
を備える、装置。
【発明の詳細な説明】
【技術分野】
【０００１】
関連出願の相互参照
本出願は、その内容全体が参照によって明白に本明細書に組み込まれている、2012年4月2日に出願した同一出願人が所有する米国仮特許出願第61/619,338号の優先権を主張する。
【０００２】
本開示はワイヤレスデータ通信に関する。
【背景技術】
【０００３】
技術の進歩によって、コンピューティングデバイスはより小型にかつより高性能になっている。たとえば、現在、小型で、軽量で、ユーザが簡単に持ち運べる、携帯式のワイヤレス電話、携帯情報端末(PDA)、およびページングデバイスなどのワイヤレスコンピューティングデバイスを含む、様々な携帯式の個人向けコンピューティングデバイスが存在する。より詳細には、携帯電話およびインターネットプロトコル(IP)電話などの携帯式のワイヤレス電話は、ワイヤレスネットワークを介して音声およびデータパケットを通信することができる。多くのそのようなワイヤレス電話は、エンドユーザに拡張機能を提供するために、追加のデバイスを組み込んでいる。たとえば、ワイヤレス電話は、デジタルスチルカメラ、デジタルビデオカメラ、デジタルレコーダ、およびオーディオファイルプレーヤを含むこともできる。また、そのようなワイヤレス電話は、インターネットにアクセスするために使用され得るウェブブラウザアプリケーションなどのソフトウェアアプリケーションを実行することができる。したがって、これらのワイヤレス電話は、著しい計算能力を含むことができる。
【０００４】
多くの通信システムでは、ネットワークは、空間的に離れてやり取りを行ういくつかのデバイスの間でメッセージを交換するために使用することができる。ネットワークは、たとえば、メトロポリタンエリア、ローカルエリア、またはパーソナルエリアであり得る地理的範囲によって分類することができる。そのようなネットワークは、それぞれ、ワイドエリアネットワーク(WAN)、メトロポリタンエリアネットワーク(MAN)、ローカルエリアネットワーク(LAN)、ワイヤレスローカルエリアネットワーク(WLAN)、またはパーソナルエリアネットワーク(PAN)と呼ばれ得る。ネットワークはまた、様々なネットワークのノードおよびデバイスを相互接続するために使用される交換/ルーティング技術(たとえば、回線交換対パケット交換)、送信に利用される物理媒体のタイプ(たとえば、有線対ワイヤレス)、および使用される通信プロトコルのセット(たとえば、インターネットプロトコルスイート、SONET(同期光ネットワーキング)、イーサネット（登録商標）など)によって異なる場合がある。
【０００５】
ワイヤレスネットワークは、ネットワーク要素が可動であり、動的な接続性のニーズを有するとき、またはネットワークアーキテクチャが固定式ではないアドホックなトポロジーで形成される場合、好適であり得る。ワイヤレスネットワークは、無線、マイクロ波、赤外線、光、または他の周波数帯域内の電磁波を使用する、誘導されない伝搬モードにおける無形の物理媒体を利用することができる。ワイヤレスネットワークは、有利なことに、固定式の有線ネットワークと比較すると、ユーザの移動性および迅速な現場配置を容易にすることができる。
【０００６】
ワイヤレスネットワーク内のデバイスは、他のデバイス/システムと情報を送信/受信することができる。情報はパケットを含んでよい。パケットは、オーバーヘッド情報(たとえば、ネットワークを介してパケットをルーティングすることに関するヘッダ情報、パケット特性など)、ならびにデータ(たとえば、パケットのペイロード内のユーザデータ、マルチメディアコンテンツなど)を含んでよい。
【発明の概要】
【課題を解決するための手段】
【０００７】
ワイヤレスネットワーキングシステムは、様々な周波数レンジおよび様々な帯域幅で動作することができる。IEEE（アイ・トリプル・イー）802.11は、ワイヤレスネットワーキングに関連する業界規格、プロトコル、およびグループのセットである。たとえば、IEEE802.11a、802.11b、802.11g、および802.11nは、家庭またはオフィスの環境内などの顧客構内のワイヤレスネットワーキングで使用できるワイヤレスネットワーキング規格である。「進行中」のIEEE802.11規格には、(「Very High Throughput in < 6GHz」と呼ばれる)802.11ac、(「Very High Throughput in 60GHz」と呼ばれる)802.11ad、(「Wireless Local Area Network(LAN) in Television White Space」と呼ばれる)802.11af、および(「Sub-1GHz」と呼ばれる)802.11ahが含まれる。
【０００８】
特に、IEEE802.11ahは、1ギガヘルツよりも小さい周波数でのワイヤレス通信に関連する。そのような通信は、センサなどの低デューティサイクルを有するデバイスに有用であり得る。たとえば、IEEE802.11ahネットワークを介して通信するワイヤレスセンサは、数秒間起きて、少しだけ測定を実行し、測定の結果を宛先に通信し、次いで数分間スリープすることができる。IEEE802.11ahワイヤレスネットワークは、1MHz、2MHz、4MHz、8MHz、および16MHzの帯域幅で、1つ、2つ、3つ、または4つの空間ストリームを使用する通信をサポートすることができる。
【０００９】
サブ1GHzネットワーク(たとえば、IEEE802.11ahネットワーク)内のメッセージの特性を制御するシステムおよび方法が開示される。たとえば、送信機から受信機にメッセージ(たとえば、パケット)を送る前に、送信機は、変調およびコーディング方式(MCS)を選択してメッセージに適用することができる。帯域幅/空間ストリームの組合せごとに、2つ以上のMCSが利用可能であり得る。選択されたMCSに対応するインデックス値は、メッセージに含まれ得る。たとえば、MCSインデックスは、メッセージの物理層(PHY)プリアンブルの信号(SIG)フィールドに含まれ得る。メッセージが受信されたとき、受信機はMCSインデックスを使用して、メッセージを復号する際に有用であり得る様々なメッセージ特性を判断することができる。一実装形態では、送信機および受信機は、各々、MCSインデックスによって検索され得るデータ構造(たとえば、テーブル)を記憶するか、または場合によってはそれにアクセスすることができる。
【００１０】
サブ1GHzワイヤレスネットワークを介して通信されるパケットは、複数のフレームフォーマット(たとえば、シングルユーザ(SU)または「ショート」フォーマットおよびマルチユーザ(MU)または「ロング」フォーマット)のうちの1つに準拠することができ、様々なタイミングパラメータに準拠することができる。フレームフォーマットは、パケットに何のフィールドが含まれるか、およびパケット内のフィールドの順序を識別することができる。タイミングパラメータは、パケットに関連する量およびフィールド継続時間を示すことができる。フレームフォーマットおよび/またはタイミングパラメータは、パケットの符号化および/または復号で使用することができる。様々なフレームフォーマット用のタイミングパラメータを示すデータ構造(たとえば、テーブル)は、送信機および受信機に記憶されるか、または場合によってはアクセス可能であり得る。
【００１１】
サブ1GHzワイヤレスネットワークを介して通信されるパケットはまた、トーンスケーリングを受けてよい。たとえば、パケットの様々なフィールドは、異なる量によってトーンスケーリングすることができる。トーンスケーリングパラメータは、パケットの符号化および/または復号で使用することができる。様々なフィールド用のトーンスケーリングパラメータを示すデータ構造(たとえば、テーブル)は、送信機および受信機に記憶されるか、または場合によってはアクセス可能であり得る。
【００１２】
特定の実施形態では、方法は、特定の帯域幅で動作するサブ1ギガヘルツワイヤレスネットワークを介して、パケットを通信する際に使用するフレームフォーマットを送信機で選択することを含み、フレームフォーマットは、特定の帯域幅に少なくとも部分的に基づいて選択される。方法はまた、選択されたフレームフォーマットおよび特定の帯域幅に基づいて、1つまたは複数のタイミングパラメータを決定することを含む。方法はさらに、選択されたフレームフォーマットおよび1つまたは複数のタイミングパラメータに従ってパケットを生成することを含む。方法は、送信機から受信機にパケットを送ることを含む。特定の帯域幅が1メガヘルツであるとき、選択されたフレームフォーマットはショートフレームフォーマットであり、特定の帯域幅が1メガヘルツよりも大きいとき、選択されたフレームフォーマットはショートフレームフォーマットまたはロングフレームフォーマットである。
【００１３】
別の特定の実施形態では、非一時的プロセッサ可読媒体は、1つまたは複数のデータ構造を記憶する。1つまたは複数のデータ構造は、サブ1ギガヘルツワイヤレスネットワークの複数の動作帯域幅の各々について、サブ1ギガヘルツワイヤレスネットワークのショートフレームフォーマットおよびロングフレームフォーマット用のタイミングパラメータを示す。タイミングパラメータには、複合データサブキャリアの数、パイロットサブキャリアの数、ガードを除く合計サブキャリアの数、最も高いデータサブキャリアインデックス、サブキャリア周波数間隔、逆離散フーリエ変換期間、離散フーリエ変換期間、ガードインターバル継続時間、ダブルガードインターバル継続時間、ショートガードインターバル継続時間、またはそれらの任意の組合せが含まれる。代替または追加として、タイミングパラメータには、ロングガードインターバルを有する直交周波数分割多重(OFDM)シンボル継続時間、ショートガードインターバルを有するOFDMシンボル継続時間、OFDMシンボル継続時間、SERVICEフィールド内のビット数、バイナリ畳み込み符号エンコーダ当たりのテールビットの数、ショートトレーニングフィールド(STF)継続時間、ロングトレーニングフィールド(LTF)継続時間、信号フィールド(SIG)継続時間、信号Aフィールド(SIG-A)継続時間、多入力多出力LTF(MIMO-LTF)継続時間、ロングフォーマットSTF継続時間、信号Bフィールド(SIG-B)継続時間、またはそれらの任意の組合せが含まれる。
【００１４】
別の特定の実施形態では、装置は、1つまたは複数のデータ構造を記憶するメモリを含む。1つまたは複数のデータ構造は、サブ1ギガヘルツワイヤレスネットワークの複数のフレームフォーマットおよびサブ1ギガヘルツワイヤレスネットワークの複数の帯域幅の各々用のタイミングパラメータを示す。装置はまた、メモリに結合され、特定の帯域幅で動作するサブ1ギガヘルツワイヤレスネットワークを介してパケットを通信する際に使用するフレームフォーマットを選択するように構成されたプロセッサを含み、フレームフォーマットは、特定の帯域幅に少なくとも部分的に基づいて選択される。プロセッサはまた、選択されたフレームフォーマットおよび特定の帯域幅に基づいて、1つまたは複数のタイミングパラメータを決定するように構成される。プロセッサはさらに、選択されたフレームフォーマットおよび1つまたは複数のタイミングパラメータに従ってパケットを生成するように構成される。特定の帯域幅が1メガヘルツであるとき、選択されたフレームフォーマットはショートフレームフォーマットであり、特定の帯域幅が1メガヘルツよりも大きいとき、選択されたフレームフォーマットはショートフレームフォーマットまたはロングフレームフォーマットである。
【００１５】
別の特定の実施形態では、装置は、1つまたは複数のデータ構造を記憶するための手段を含む。1つまたは複数のデータ構造は、サブ1ギガヘルツワイヤレスネットワークの複数のフレームフォーマットおよび複数の帯域幅用のタイミングパラメータを示す。装置はまた、特定の帯域幅で動作するサブ1ギガヘルツワイヤレスネットワークを介してパケットを通信する際に使用するフレームフォーマットを選択するための手段を含み、フレームフォーマットは、特定の帯域幅に少なくとも部分的に基づいて選択される。装置はさらに、選択されたフレームフォーマットおよび特定の帯域幅に基づいて、1つまたは複数のタイミングパラメータを決定するための手段を含む。装置は、選択されたフレームフォーマットおよび1つまたは複数のタイミングパラメータに従ってパケットを生成するための手段を含む。
【００１６】
開示された実施形態のうちの少なくとも1つによってもたらされる1つの特定の利点は、サブ1GHzワイヤレスネットワークを介して通信されるメッセージ(たとえば、パケット)の様々な特性を制御できることである。たとえば、そのような特性には、MCS、フレームフォーマット、タイミングパラメータ、トーンスケーリングパラメータ、および/または本明細書に記載される他の特性が含まれ得る。
【００１７】
本開示の他の態様、利点、および特徴は、以下のセクション、すなわち、図面の簡単な説明、発明を実施するための形態、および特許請求の範囲を含む、本出願全体を検討すれば明らかになろう。
【図面の簡単な説明】
【００１８】
【図１】サブ1GHzワイヤレスネットワーク内のメッセージ特性を制御するように動作可能なシステムの特定の実施形態の図である。
【図２Ａ】図1のMCSテーブルの具体的な例を示す図である。
【図２Ｂ】図1のMCSテーブルの具体的な例を示す図である。
【図２Ｃ】図1のMCSテーブルの具体的な例を示す図である。
【図３Ａ】図1のMCSテーブルの具体的な例を示す図である。
【図３Ｂ】図1のMCSテーブルの具体的な例を示す図である。
【図３Ｃ】図1のMCSテーブルの具体的な例を示す図である。
【図４Ａ】図1のMCSテーブルの具体的な例を示す図である。
【図４Ｂ】図１のMCSテーブルの具体的な例を示す図である。
【図４Ｃ】図１のMCSテーブルの具体的な例を示す図である。
【図４Ｄ】図１のMCSテーブルの具体的な例を示す図である。
【図５Ａ】図1のMCSテーブルの具体的な例を示す図である。
【図５Ｂ】図1のMCSテーブルの具体的な例を示す図である。
【図５Ｃ】図1のMCSテーブルの具体的な例を示す図である。
【図５Ｄ】図1のMCSテーブルの具体的な例を示す図である。
【図６Ａ】図1のMCSテーブルの具体的な例を示す図である。
【図６Ｂ】図1のMCSテーブルの具体的な例を示す図である。
【図６Ｃ】図1のMCSテーブルの具体的な例を示す図である。
【図６Ｄ】図1のMCSテーブルの具体的な例を示す図である。
【図７Ａ】図1のMCSテーブルの具体的な例を示す図である。
【図７Ｂ】図1のMCSテーブルの具体的な例を示す図である。
【図７Ｃ】図1のMCSテーブルの具体的な例を示す図である。
【図７Ｄ】図1のMCSテーブルの具体的な例を示す図である。
【図８Ａ】図1のMCSテーブルの具体的な例を示す図である。
【図８Ｂ】図1のMCSテーブルの具体的な例を示す図である。
【図９Ａ】すべての可能な帯域幅および可能な数の空間ストリームに１つのエンコーダが使用されるときの図1のMCSテーブルの具体的な例を示す図である。
【図９Ｂ】すべての可能な帯域幅および可能な数の空間ストリームに１つのエンコーダが使用されるときの図1のMCSテーブルの具体的な例を示す図である。
【図９Ｃ】すべての可能な帯域幅および可能な数の空間ストリームに１つのエンコーダが使用されるときの図1のMCSテーブルの具体的な例を示す図である。
【図９Ｄ】すべての可能な帯域幅および可能な数の空間ストリームに１つのエンコーダが使用されるときの図1のMCSテーブルの具体的な例を示す図である。
【図１０Ａ】すべての可能な帯域幅および可能な数の空間ストリームに１つのエンコーダが使用されるときの図1のMCSテーブルの具体的な例を示す図である。
【図１０Ｂ】すべての可能な帯域幅および可能な数の空間ストリームに１つのエンコーダが使用されるときの図1のMCSテーブルの具体的な例を示す図である。
【図１０Ｃ】すべての可能な帯域幅および可能な数の空間ストリームに１つのエンコーダが使用されるときの図1のMCSテーブルの具体的な例を示す図である。
【図１０Ｄ】すべての可能な帯域幅および可能な数の空間ストリームに１つのエンコーダが使用されるときの図1のMCSテーブルの具体的な例を示す図である。
【図１１】MCSインデックスに基づいてサブ1GHzワイヤレスネットワーク内のメッセージ特性を判断する方法の特定の実施形態のフローチャートである。
【図１２】MCSインデックスに基づいてサブ1GHzワイヤレスネットワーク内のメッセージ特性を制御する方法の特定の実施形態のフローチャートである。
【図１３】図1のパケットに対して使用できるフレームフォーマットの特定の実施形態を示す図である。
【図１４】図1のタイミングパラメータの具体的な例を示す図である。
【図１５】サブ1GHzワイヤレスネットワーク内のフレームフォーマットおよびタイミングパラメータを制御する方法の特定の実施形態のフローチャートである。
【図１６】図1のトーンスケーリングパラメータの具体的な例を示す図である。
【図１７】サブ1GHzワイヤレスネットワーク内のトーンスケーリングパラメータを制御する方法の特定の実施形態のフローチャートである。
【図１８】サブ1GHzワイヤレスネットワーク内のメッセージ特性を制御するように動作可能な構成要素を含むモバイル通信デバイスのブロック図である。
【発明を実施するための形態】
【００１９】
図1は、サブ1GHzワイヤレスネットワーク140内のメッセージ特性を制御するように動作可能なシステム100の特定の実施形態の図である。特定の実施形態では、サブ1GHzワイヤレスネットワーク140は、IEEE802.11ahプロトコルに従って動作する。ワイヤレスネットワーク140は、複数の帯域幅および1つまたは複数の空間ストリームをサポートすることができる。たとえば、ワイヤレスネットワーク140は、1MHz、2MHz、4MHz、8MHz、および16MHzの帯域幅、ならびに1つ、2つ、3つ、または4つの空間ストリームの使用をサポートすることができる。
【００２０】
システム100は、送信機110および受信機120を含む。図1では１つの送信機と受信機が示されているが、代替の実施形態は、2つ以上の送信機と受信機を含んでよいことに留意されたい。送信機110と受信機120は、例示的なパケット130などのパケットを介して通信することができる。図1では専用の送信機110と専用の受信機120が示されているが、いくつかのデバイス(たとえば、送受信機または送受信機を含むモバイル通信デバイス)は、パケット送信ならびにパケット受信の両方が可能であり得ることに留意されたい。このように、ワイヤレスネットワーク140は双方向通信をサポートする。
【００２１】
送信機110は、MCSテーブル111、タイミングパラメータ112、およびトーンスケーリングパラメータ113を記憶するか、または場合によってはそれにアクセスすることができる。送信機110は、パケット130などのパケットを作成および符号化するように構成されたパケット作成器/エンコーダ114を含んでよい。作成器/エンコーダ114は、作成および符号化のプロセスの間、パケット130の1つまたは複数の特性を設定することができる。
【００２２】
たとえば、作成器/エンコーダ114は、複数の利用可能な変調およびコーディング方式(MCS)からパケット130の特定のMCSを選択することができる。どのMCSが利用可能かは、ワイヤレスネットワーク140で使用中の帯域幅および空間ストリームの数に依存し得る。特定の実施形態では、ワイヤレスネットワーク140に接続されたデバイスは、(たとえば、ビーコン、プローブ応答、または他の制御メッセージを介して)ワイヤレスネットワークに関連付けられたアクセスポイントにより、帯域幅および空間ストリームの数を通知され得る。デバイスはまた、ワイヤレスネットワーク140を介して通信されるメッセージを調査することによって、帯域幅および空間ストリームの数などのネットワーク特性を判断することができる。どの特定のMCSが選択されるかは、チャネル状態、距離、および所望のデータレートなどの要因に基づき得る。送信機110は、帯域幅と空間ストリームの数の組合せごとに利用可能なMCSを識別する、1つまたは複数のMCSテーブル111を記憶するか、または場合によってはそれにアクセスすることができる。作成器/エンコーダ114は、選択されたMCSのインデックスをパケット130に挿入することができる。特定の実施形態では、MCSインデックスは、パケット130の物理層(PHY)プリアンブルの信号(SIG)フィールドに含まれ得る。MCSインデックスは、パケット130の変調方式およびコーディングレートを示すことができ、また、サブキャリアシンボル当たりのビット数、データシンボルの数、パイロットシンボルの数、直交周波数分割多重(OFDM)シンボル当たりのコーディングされたビットの数、(OFDM)シンボル当たりのデータビットの数、パケット130を符号化するために使用されるエンコーダの数、データレート、および/またはガードインターバルなどの、パケット130のさらなる符号化特性を示すことができるか、またはそれらを導出するために有用であり得る。MCSテーブルの具体的な例は、図2〜図10を参照して記載される。
【００２３】
受信機120は、それぞれ、MCSテーブル111、タイミングパラメータ112、およびトーンスケーリングパラメータ113と同じであり得る、MCSテーブル121、タイミングパラメータ122、およびトーンスケーリングパラメータ123を記憶するか、または場合によってはそれらにアクセスすることができる。受信機120は、受信されたパケット130などの受信されたパケットを処理するように構成されたパケット抽出器/デコーダ124を含んでよい。たとえば、抽出器/デコーダ124は、パケット130からMCSインデックスを抽出することができる。抽出器/デコーダ124は、ワイヤレスネットワーク140で使用中の帯域幅および空間ストリームの数に対応する、MCSテーブル121のうちの特定のMCSテーブルを識別することができ、抽出されたMCSインデックスに対応する特定のMCSテーブル内の特性値を検索することができる。検索に基づいて、抽出器/デコーダ124は、パケット130の1つまたは複数の符号化特性を判断することができ、符号化特性に基づいてパケット130を復号することができる。
【００２４】
パケット130は、複数のフレームフォーマット(たとえば、シングルユーザ(SU)または「ショート」フォーマットおよびマルチユーザ(MU)または「ロング」フォーマット)のうちの1つに準拠することができ、様々なタイミングパラメータに準拠することができる。特定の実施形態では、フレームフォーマットは、送信機110によって選択されるか、または受信機120によって指定される。フレームフォーマットは、パケット130に含まれるべきフィールド、およびパケット130内のフィールドの順序を識別することができる。タイミングパラメータは、パケット130に関連する量およびフィールド継続時間を示すことができる。このように、フレームフォーマットおよび/またはタイミングパラメータは、パケット130の符号化および/または復号で使用することができる。様々なフレームフォーマット用のタイミングパラメータを示すデータ構造(たとえば、テーブル)は、送信機および受信機に記憶されるか、または場合によってはアクセス可能であり得る。たとえば、タイミングパラメータは、タイミングパラメータ112として送信機110で、かつタイミングパラメータ122として受信機120で、メモリ内のテーブルまたはアレイに記憶することができる。
【００２５】
特定の実施形態では、パケット130に使用されるフレームフォーマットは、下層のサブ1GHzワイヤレスネットワーク140が1MHzの帯域幅で動作しているかどうかに少なくとも部分的に基づく。たとえば、帯域幅が1MHzであるときは、SUフレームフォーマットのみが利用可能であり得るが、1MHzよりも大きい帯域幅の場合、SUフレームフォーマットとMUフレームフォーマットの両方が利用可能であり得る。特定の実施形態では、いくつかのフィールド継続時間は、帯域幅が1MHzよりも大きいときより、帯域幅が1MHzであるときの方が長くてよい。フレームフォーマットおよびタイミングパラメータの例は、図13〜図14を参照してさらに記載される。
【００２６】
パケット130はまた、トーンスケーリングを受けてよい。たとえば、パケット130の様々なフィールドは、異なる量によってトーンスケーリングすることができる。トーンスケーリングパラメータは、パケットの符号化および/または復号で使用することができる。様々なフィールド用のトーンスケーリングパラメータを示すデータ構造(たとえば、テーブル)は、送信機および受信機に記憶されるか、または場合によってはアクセス可能であり得る。たとえば、トーンスケーリングパラメータは、トーンスケーリングパラメータ113として送信機110で、かつトーンスケーリングパラメータ123として受信機120で、メモリ内のテーブルまたはアレイに記憶することができる。特定の実施形態では、パケット130がSUフレームフォーマットで表されるか、またはMUフレームフォーマットで表されるかに基づいて、異なるトーンスケーリングパラメータを使用することができる。トーンスケーリングパラメータの例は、図16を参照してさらに記載される。
【００２７】
動作中、送信機110は、選択されたMCSインデックスおよびそれに関連付けられた符号化特性、選択されたフレームフォーマット、選択されたタイミングパラメータ、ならびに/または選択されたトーンスケーリングパラメータに基づいて、パケット130を作成および符号化することができる。下層のサブ1GHzワイヤレスネットワーク140で使用中の帯域幅および空間ストリームの数はまた、パケット130の作成および符号化に影響を及ぼし得る。たとえば、帯域幅および空間ストリームの数は、何のMCSインデックスが利用可能であるか、何のフレームフォーマットが利用可能であるか、ならびに、いくつかのタイミングパラメータおよびトーンスケーリングパラメータの値または値の許容範囲に影響を及ぼし得る。パケット130を受信すると、受信機120は、パケット130を処理(たとえば、復号)する際に、MCSインデックス、フレームフォーマット、タイミングパラメータ、および/または選択されたトーンスケーリングパラメータを使用することができる。
【００２８】
図1のシステム100は、こうして、MCSインデックス、フレームフォーマット、タイミングパラメータ、トーンスケーリングパラメータ、およびサブ1GHzワイヤレスネットワーク(たとえば、IEEE802.11ahワイヤレスネットワーク)で使用する他のメッセージ特性の標準化された値を提供することができ、そのような値は、ワイヤレスネットワークの特性(たとえば、帯域幅および空間ストリームの数)に基づいて変化する。そのようなPHY(たとえば、レイヤ1)および媒体アクセス制御(MAC)(たとえば、レイヤ2)のメッセージング特性を標準化すると、サブ1GHzワイヤレスネットワークを介した信頼できる通信が可能になり得る。
【００２９】
図2A〜図2Cは、図1のMCSテーブル111およびMCSテーブル121の例を示す。詳細には、図2A〜図2Cは、1つの空間ストリームを使用しながら1MHzの帯域幅で動作するサブ1GHzワイヤレスネットワーク用のMCSテーブルを示す。
【００３０】
MCSテーブルは、複数のMCSインデックスの各々についてのメッセージ特性を含んでよい。たとえば、MCSテーブルは、MCSインデックス(「MCS Idx」)ごとの変調方式(「Mod」)、コーディングレート(「R」)、サブキャリアシンボル当たりのビット数(「N_bpscs」)、データシンボルの数(「N_sd」)、および/またはパイロットシンボルの数(「N_sp」)を示すことができる。MCSテーブルはまた、OFDMシンボル当たりのコーディングされたビットの数(「N_cbps」)、OFDMシンボル当たりのデータビットの数(「N_dbps」)、使用されるエンコーダの数(「N_es」)、データレート、および/またはガードインターバル(「GI」)を示すことができる。データレートは、8マイクロ秒のガードインターバルが使用されるか、または4マイクロ秒のガードインターバルが使用されるかに応じて変化する可能性がある。
【００３１】
いくつかの実施形態では、他の特性から導出可能な特性は、MCSテーブルから省略され得る。たとえば、OFDMシンボル当たりのコーディングされたビットの数は、数式N_cbps=N_sd*N_bpscsに従って導出可能であり得る。OFDMシンボル当たりのデータビットの数は、数式N_dbps=N_cbps*Rに従って導出可能であり得る。特定の実施形態では、エンコーダの数は、数式N_es=ceiling(Data Rate/60Mbps)に基づいて決定することができ、ここで、ceiling()はシーリング関数である。いくつかの状況では、N_es用の数式は、本明細書でさらに記載されるように修正することができる。
【００３２】
特定の実施形態では、所与の帯域幅および空間ストリームの数についてのMCSインデックスは、N_cbps/N_esが非整数である場合、N_dbps/N_esが非整数である場合、またはN_dbpsが非整数である場合、利用できない可能性がある。そのようなMCSインデックスは、実装を簡単にするために(たとえば、パンクチャパターンがOFDMシンボル間で均一であるように、かつパンクチャリング/レート照合の後余分なパディングシンボルが必要とされないように)、利用できないようにされ得る。特定の実施形態では、そうでない場合に利用できないはずのいくつかのMCSインデックスの使用を可能にするために、エンコーダの数N_esは、本明細書でさらに記載されるように、N_cbps/N_esおよび/またはN_dbps/N_esが整数になるように修正することができる。
【００３３】
上述されたように、サブ1GHzネットワークを介して通信される各パケットは、MCSインデックスを含んでよい。MCSインデックスは、パケットの様々な特性を判断するために使用することができる。一般に、MCSが選択されたとき、MCSは1度発信パケットに適用することができる。しかしながら、1MHzの帯域幅および1つの空間ストリームが使用されるときの特定の実施形態では、利用可能なMCSインデックスのうちの1つは、Mod=BPSK(2位相偏移変調)およびR=1/4に対応するMCSが2度適用されるシナリオに対応し得る。図2に示されたように、1MHzおよび1つの空間ストリームに対応するMCSテーブル用の少なくとも3つの異なるオプションが存在し得る。(図2Aで「オプション1」と示された)第1のオプションによれば、繰返しMCSシナリオは0のMCSインデックスを有し得る。(図2Bで「オプション2」と示された)第2のオプションによれば、繰返しMCSシナリオは10のMCSインデックスを有し得る。(図2Cで「オプション3」と示された)第3のオプションによれば、繰返しMCSシナリオは15(すなわち、4ビットのMCSインデックスが2の補数で解釈されたときは-1)のMCSインデックスを有し得る。
【００３４】
図3A〜図3Cは、図1のMCSテーブル111およびMCSテーブル121のさらなる例を示す。詳細には、図3A〜図3Cは、2つ、3つ、または4つの空間ストリームを使用しながら1MHzの帯域幅で動作するサブ1GHzワイヤレスネットワーク用のMCSテーブルを示す。
【００３５】
図4A〜図4Dは、図1のMCSテーブル111およびMCSテーブル121のさらなる例を示す。詳細には、図4A〜図4Dは、1つ、2つ、3つ、または4つの空間ストリームを使用しながら2MHzの帯域幅で動作するサブ1GHzワイヤレスネットワーク用のMCSテーブルを示す。網掛けにより図4A、図4B、および図4Dに示されたように、MCSインデックス9は、1つ、2つ、または4つの空間ストリームを使用して2MHzで動作するとき、N_dbpsが非整数であり得るので、利用できない可能性がある。利用できないMCSインデックスは、(たとえば、利用可能ビットを使用して)フラグ付けされるか、またはMCSテーブルから削除されることによって、利用できないことを示すことができる。
【００３６】
図5A〜図5Dは、図1のMCSテーブル111およびMCSテーブル121のさらなる例を示す。詳細には、図5A〜図5Dは、1つ、2つ、3つ、または4つの空間ストリームを使用しながら4MHzの帯域幅で動作するサブ1GHzワイヤレスネットワーク用のMCSテーブルを示す。
【００３７】
図6A〜図6Dは、図1のMCSテーブル111およびMCSテーブル121のさらなる例を示す。詳細には、図6A〜図6Dは、1つ、2つ、3つ、または4つの空間ストリームを使用しながら8MHzの帯域幅で動作するサブ1GHzワイヤレスネットワーク用のMCSテーブルを示す。網掛けにより図6Cに示されたように、MCSインデックス6は、3つの空間ストリームを使用して8MHzで動作するとき、N_dbps/N_esが非整数であり得るので、利用できない可能性がある。
【００３８】
図7A〜図7Dは、図1のMCSテーブル111およびMCSテーブル121のさらなる例を示す。詳細には、図7A〜図7Dは、1つ、2つ、または3つの空間ストリームを使用しながら16MHzの帯域幅で動作するサブ1GHzワイヤレスネットワーク用のMCSテーブルを示す。
【００３９】
16MHzおよび3つの空間ストリームに対応するMCSテーブルについて2つのオプションが示される。図7Cの第1のオプションでは、MCSインデックス9は、N_dbps/N_esが非整数なので利用できない。しかしながら、図7Dの第2のオプションに示されるように、N_esは、MCSインデックス9について5から6に増やすことができ、それにより、N_dbps/N_esは整数量に変わり、MCSインデックス9は利用可能になる。このように、エンコーダの数は、いくつかのMCSインデックスを利用可能にするために修正することができる。そうでない場合6つのエンコーダを使用しないはずのデバイスでは、この修正により、エンコーダの追加がもたらされる可能性がある。しかしながら、他の帯域幅/空間ストリームの組合せについて6つのエンコーダを使用するデバイス(たとえば、図8に示されたような16MHzで4つの空間ストリームをサポートするデバイス)では、この修正はさらなるハードウェアを追加せずに実行することができる。
【００４０】
図8A〜図8Bは、図1のMCSテーブル111およびMCSテーブル121のさらなる例を示す。詳細には、図8A〜図8Bは、4つの空間ストリームを使用しながら16MHzの帯域幅で動作するサブ1GHzワイヤレスネットワーク用のMCSテーブルを示す。
【００４１】
16MHz、4つの空間ストリームに対応するMCSテーブルについて2つのオプションが示される。図8Aの第1のオプションでは、MCSインデックス7は、N_cbps/N_esが非整数なので利用できない。しかしながら、図8Bの第2のオプションに示されたように、N_esは、MCSインデックス7について5から6に増やすことができ、それにより、N_cbps/N_esは整数量に変わり、MCSインデックス7は利用可能になる。
【００４２】
いくつかの実施形態では、すべての帯域幅/空間ストリームの組合せについて１つのエンコーダを使用することができる。結果として、N_dbps/N_es=N_dbpsおよびN_cbps/N_es=N_cbpsであり、さらなるMCSインデックスが利用可能になることができる。１つのエンコーダが使用されたとき、1つ〜4つの空間ストリームを有する1MHz、1つ〜4つの空間ストリームを有する2MHz、1つ〜3つの空間ストリームを有する4MHz、および1つの空間ストリームを有する8MHz用のMCSテーブルは、それらのテーブル内の各行がN_es=1を有するので、上述されたものと同じであり得る。反対に、N_es>1を有する少なくとも1つの行を含むMCSテーブルは、図9〜図10に示されたように修正することができる。
【００４３】
図9A〜図9Dは、すべての帯域幅/空間ストリームの組合せについて１つのエンコーダが使用されるときの、図1のMCSテーブル111およびMCSテーブル121の例を示す。詳細には、図9A〜図9Dは、１つのエンコーダを用いて、4つの空間ストリームを使用しながら4MHzの帯域幅で、および、2つ、3つ、または4つの空間ストリームを使用しながら8MHzの帯域幅で動作するサブ1GHzワイヤレスネットワーク用のMCSテーブルを示す。特に、8MHzおよび3つの空間ストリーム用のMCSインデックス6は、図6Cでは利用できないと示されたが、N_es=1なので図9Cでは利用可能である。
【００４４】
図10A〜図10Dは、すべての帯域幅/空間ストリームの組合せについて１つのエンコーダが使用されるときの、図1のMCSテーブル111およびMCSテーブル121のさらなる例を示す。詳細には、図10A〜図10Dは、１つのエンコーダを用いて、1つ、2つ、3つ、または4つの空間ストリームを使用しながら16MHzの帯域幅で動作するサブ1GHzワイヤレスネットワーク用のMCSテーブルを示す。特に、16MHzおよび3つの空間ストリーム用のMCSインデックス9は、N_esが5から6に増やされない限り図7Cでは利用できないと示されたが、N_es=1なので図10Cでは利用可能である。
【００４５】
図11は、サブ1GHzワイヤレスネットワーク内のMCSインデックスに基づいてメッセージ特性を判断する方法1100の特定の実施形態のフローチャートである。例示的な実施形態では、方法1100は、図1の受信機120によって実行することができる。
【００４６】
方法1100は、1102で、特定の数の空間ストリームを使用しながら特定の帯域幅で動作するサブ1GHzワイヤレスネットワークを介して、送信機から受信機でパケットを受信することを含んでよい。ワイヤレスネットワークは、IEEE802.11ahネットワークであり得る。たとえば、図1では、受信機120は、ワイヤレスネットワーク140を介して送信機110からパケット130を受信することができる。
【００４７】
方法1100はまた、1104で、受信されたパケットからMCSインデックスを抽出することと、1106で、受信機に記憶されたデータ構造を識別することとを含んでよい。データ構造は、特定の帯域幅および特定の数の空間ストリームに対応することができる。特定の実施形態では、MCSインデックスは、パケットのPHYプリアンブルのSIGフィールドから抽出することができる。たとえば、図1では、抽出器/デコーダ124は、パケット130からMCSインデックスを抽出することができ、帯域幅および空間ストリームの数に対応するMCSテーブル121のうちの1つを識別することができる。たとえば、帯域幅が4MHzであり、1つの空間ストリームが使用中であるとき、識別されたMCSテーブルは、図5の先頭にあるテーブルであり得る。
【００４８】
方法1100はさらに、1108で、抽出されたMCSインデックスに対応する特性値を求めて、識別されたデータ構造を検索することに基づいて、受信されたパケットの少なくとも1つの符号化特性を判断することを含んでよい。符号化特性には、変調方式、コーディングレート、サブキャリアシンボル当たりのビット数、データシンボルの数、パイロットシンボルの数、OFDMシンボル当たりのコーディングされたビットの数、OFDMシンボル当たりのデータビットの数、エンコーダの数、データレート、および/またはガードインターバルが含まれ得る。たとえば、抽出されたMCSインデックスが5であるとき、Mod=64-QAM、R=2/3、N_bpscs=6、N_sd=108、N_sp=6、N_cbps=648、N_dbps=432、N_es=1、ならびに/または、データレート=8マイクロ秒のGIを有する10,800Kbpsおよび/もしくは4マイクロ秒のGIを有する12,000Kbpsであると、図5の先頭にあるテーブルから判断することができる。
【００４９】
方法1100は、少なくとも1つの符号化特性に基づいてパケットを復号することを含む場合がある。たとえば、図1では、抽出器/デコーダ124は、少なくとも1つの符号化特性に基づいてパケット130を復号することができる。たとえば、パケット130に適用される復調のタイプ(たとえば、2位相偏移変調(BPSK)、４位相偏移変調(QPSK)、直角位相振幅変調(QAM)など)は、図5の先頭にあるMCSテーブル内の「Mod」特性に基づいて判断することができる。
【００５０】
図12は、MCSインデックスに基づいてサブ1GHzワイヤレスネットワークを介して通信されるメッセージのメッセージ特性を制御する方法1200の特定の実施形態のフローチャートである。例示的な実施形態では、方法1200は、図1の送信機110によって実行することができる。
【００５１】
方法1200は、1202で、特定の数の空間ストリームを使用しながら特定の帯域幅で動作するサブ1GHzワイヤレスネットワークを介してパケットを通信する際の使用に利用可能な複数のMCSからMCSを送信機で選択することを含んでよい。たとえば、図1では、送信機110は、使用中の帯域幅および空間ストリームの数に対応する、MCSテーブル111のうちの1つから利用可能なMCSを選択することができる。
【００５２】
方法1200はまた、1204で、選択されたMCSに対応するMCSインデックスに基づいて、少なくとも1つの符号化特性を判断することを含んでよい。方法1200はさらに、1206で、パケットにMCSインデックスを挿入することと、1208で、少なくとも1つの符号化特性に基づいてパケットを符号化することとを含んでよい。たとえば、図1では、抽出器/デコーダ114は、パケット130にMCSインデックスを挿入し、パケット130を符号化することができる。方法1200は、1210で、受信機に符号化されたパケットを送ることを含んでよい。たとえば、図1では、送信機110は、受信機120にパケット130を送ることができる。
【００５３】
図13は、図1のパケット130を表すために使用できるフレームフォーマットの特定の実施形態を示す図であり、全体的に1300と示される。特定の実施形態では、サブ1GHzネットワークを介して送信されるパケットは、シングルユーザ(SU)フレームフォーマット1310またはマルチユーザ(MU)フレームフォーマット1320などの複数のフレームフォーマットのうちの1つに準拠することができる。各フレームフォーマット1310、1320は、パケットに含まれるべきフィールドおよびそのようなフィールドの順序を指定することができる。
【００５４】
SUフレームフォーマット1310は、ショートトレーニングフィールド(STF)1311、ロングトレーニングフィールド(LTF)1312(LTF_1)、およびSIGフィールド1313を含んでよい。複数の空間ストリームが使用中であるとき、SUフレームフォーマット1310はまた、追加LTF1314(たとえば、追加空間ストリームごとに1つの追加LTF)を含んでよい。STF1311、LTF1312、SIGフィールド1313、および追加LTF1314は、パケットプリアンブルを表すことができる。SUフレームフォーマット1310はまた、データ部分1315を含んでよい。
【００５５】
MUフレームフォーマット1320は、2つの部分、すなわち、(オムニ(omni)部分1330と呼ばれる)プリコーディングなしの第1の部分、および(MU部分1340と呼ばれる)プリコーディングありの第2の部分を含んでよい。オムニ部分1330は、STF1321、第1のLTF1322(LTF_1)、および信号A(SIG-A)フィールド1323を含んでよい。MU部分1340は、追加STF1324、および2つ以上の空間ストリームが使用中であるとき、1つまたは複数の追加LTF1325を含んでよい。MU部分1340はまた、信号B(SIG-B)フィールド1326およびデータ部分1327を含んでよい。特定の実施形態では、SIG-Bフィールド1326は、ユーザごとの単位で存在し得る。STFフィールドおよびLTF_1フィールドは、プリコーディングされていないオムニ部分1330とプリコーディングされているMU部分1340の両方に存在して、受信と部分1330および部分1340の処理との間の明白なチャネル状態変化の後に受信機を支援することができる。
【００５６】
特定の実施形態では、送信機によって選択されたフレームフォーマットは、使用中のワイヤレスネットワークの帯域幅に依存し得る。たとえば、帯域幅が1MHzであるときはSUフレームフォーマット1310のみが利用可能であり得るが、帯域幅が1MHzよりも大きい(たとえば、2MHz、4MHz、8MHz、または16MHzである)ときはSUフレームフォーマット1310とMUフレームフォーマット1320の両方が利用可能であり得る。
【００５７】
特定の実施形態では、SUフレームフォーマット1310およびMUフレームフォーマット1320に関連付けられたタイミングパラメータは、送信機および/または受信機に記憶されるか、または場合によってはアクセス可能であり得る。図14は、SUフレームフォーマット1310およびMUフレームフォーマット1320用のタイミングパラメータ1400の具体的な例を示す。例示的な実施形態では、タイミングパラメータ1400は、図1のタイミングパラメータ112および/またはタイミングパラメータ122であり得る。
【００５８】
特定の実施形態では、パケット(たとえば、図1のパケット130)のタイミングパラメータ1400のうちの1つまたは複数は、帯域幅(たとえば、1MHz、2MHz、4MHz、8MHz、または16MHz)および/または空間ストリームの数(1つ、2つ、3つ、または4つ)に応じて変化し得る。タイミングパラメータ1400には、複合データサブキャリアの数N_sd、パイロットサブキャリアの数N_sp、(ガードを除く)合計サブキャリアの数N_st、最も高いサブキャリアインデックスN_sr、サブキャリア周波数間隔delta_f、逆離散フーリエ変換(IDFT)およびDFT期間T_dft、ガードインターバル継続時間T_gi、ダブルガードインターバル継続時間T_gi2、ショートガードインターバル継続時間T_gis、ロングガードインターバルを有するOFDMシンボル継続時間T_syml、ショートガードインターバルを有するOFDMシンボル継続時間T_syms、SERVICEフィールドのビット数N_service、ならびに/またはバイナリ畳み込み符号(BCC)エンコーダ当たりのテールビットの数N_tailが含まれ得る。
【００５９】
タイミングパラメータ1400には、SUフレームフォーマットおよびMUフレームフォーマット用のSTF継続時間T_stf、SUフォーマットおよびMUフォーマット用のLTF_1継続時間T_ltf1、SIGフィールドおよびSIG-Aフィールドの継続時間T_sig、追加LTF用の第2のLTF継続時間T_mimo_ltf、MUフレームフォーマット用の第2のSTF継続時間T_mu_stf、ならびに/またはSIG-Bフィールドの継続時間T_sig_bが含まれ得る。いくつかのタイミングパラメータ1400は、使用中の帯域幅に応じて様々な値を有し得る。たとえば、STF継続時間T_stf、LTF1継続時間T_ltf1、SIG/SIG-Aフィールドの継続時間T_sigは、各々、帯域幅が1MHzよりも大きいときより、帯域幅が1MHzであるときの方が長い場合がある。特定の実施形態では、タイミングパラメータのうちの1つまたは複数は、図14に示されたように相互に関係し得る。したがって、他のタイミングパラメータから導出可能なタイミングパラメータは、タイミングパラメータ1400を記憶するテーブルから省略することができる。
【００６０】
図15は、サブ1GHzワイヤレスネットワーク内のフレームフォーマットおよびタイミングパラメータを制御する方法1500の特定の実施形態のフローチャートである。例示的な実施形態では、方法1500は、図1の送信機110によって実行することができる。
【００６１】
方法1500は、1502で、パケットが受信機に送られるべきと送信機で決定することと、1504で、ワイヤレスネットワークの帯域幅を判定することとを含んでよい。たとえば、図1では、送信機110は、パケット130が受信機120に送られるべきと決定することができ、(たとえば、アクセスポイントまたはメッセージングデータの調査からの情報に基づいて)サブ1GHzワイヤレスネットワーク140の帯域幅を判定することができる。
【００６２】
帯域幅が1MHzであるとき、方法1500は、1506で、パケットを通信する際に使用するSUフレームフォーマットを選択することを含んでよい。たとえば、SUフレームフォーマットは、図13のSUフレームフォーマット1310であり得る。帯域幅が1MHzよりも大きいとき、方法1500は、1508で、SUフレームフォーマットまたはMUフレームフォーマットを選択することを含んでよい。たとえば、MUフレームフォーマットは、図13のMUフレームフォーマット1320であり得る。
【００６３】
方法1500はまた、1510で、選択されたフレームフォーマットに従って、かつ選択されたフレームフォーマットに関連付けられた1つまたは複数のタイミングパラメータに基づいて、パケットを生成することを含んでよい。たとえば、タイミングパラメータは、図14のタイミングパラメータ1400のうちの1つまたは複数であり得る。方法1500はさらに、1512で、送信機から受信機にパケットを送ることを含んでよい。たとえば、図1では、送信機110は、受信機120にパケット130を送ることができる。
【００６４】
図16は、トーンスケーリングパラメータ1600の具体的な例を示す。例示的な実施形態では、トーンスケーリングパラメータ1600は、図1のトーンスケーリングパラメータ113および/またはトーンスケーリングパラメータ123であり得る。
【００６５】
パケット(たとえば、図1のパケット130)が生成されたとき、パケットの1つまたは複数のフィールドは、1つまたは複数のトーンスケーリングパラメータによってスケーリングすることができる。同じパケットの様々なフィールドに様々なトーンスケーリングパラメータを適用することができる。特定の実施形態では、トーンスケーリングパラメータは、使用中のフレームフォーマット(パケットが図13のSUフレームフォーマット1310内にあるか、または図13のMUフレームフォーマット1320内にあるか)、帯域幅、および/または空間ストリームの数の関数であり得る。
【００６６】
たとえば、トーンスケーリングパラメータ1600は、STFのトーンスケーリングパラメータ、LTF_1のトーンスケーリングパラメータ、SIGフィールドのトーンスケーリングパラメータ、およびデータ部分のトーンスケーリングパラメータを含む、1MHz、2MHz、4MHz、8MHz、および16MHzの帯域幅でのSUフレームフォーマット用のパラメータを含んでよい。多入力多出力LTF(MIMO-LTF)のトーンスケーリングパラメータはまた、2つ以上の空間ストリームが使用中であるとき適用することができる。1MHzの帯域幅で、SIGフィールドおよびデータ部分は、同じ数の利用可能なトーン、したがって同じトーンスケーリングパラメータを有することができる。より高い帯域幅で、SIGフィールドは、より低い帯域幅のSIGフィールドを繰り返すことによって生成することができる。したがって、SIGフィールドのトーンスケーリングパラメータは、図16に示されたように、帯域幅が(たとえば、1MHzから2MHz、4MHz、8MHzおよび16MHzに)倍増するにつれて、(たとえば、26から52、104、208、および416に)倍増し得る。しかしながら、データ部分のトーンスケーリングパラメータは、倍増しない場合がある。したがって、SIGフィールドのトーンスケーリングパラメータとデータ部分のトーンスケーリングパラメータは、いくつかの帯域幅について異なる場合がある。
【００６７】
図13を参照して上記で説明されたように、MUフレームフォーマットは1MHzの帯域幅で利用可能ではない場合がある。図16では、1MHzでのMUフレームフォーマット用のトーンスケーリングパラメータ1600は、この利用不可を示すために網掛けされる。1MHzよりも大きい帯域幅でのMUフレームフォーマットの場合、トーンスケーリングパラメータ1600は、STFのトーンスケーリングパラメータ、LTF_1のトーンスケーリングパラメータ、SIG-Aフィールドのトーンスケーリングパラメータ、SIG-Bフィールドのトーンスケーリングパラメータ、データ部分のトーンスケーリングパラメータ、およびMU-STFのトーンスケーリングパラメータを含んでよい。MIMO-LTFのトーンスケーリングパラメータはまた、2つ以上の空間ストリームが使用中であるとき適用することができる。SIG-Aフィールドのトーンスケーリングパラメータは、帯域幅が倍増するにつれて倍増し得るが、SIG-Bフィールドのトーンスケーリングパラメータおよびデータ部分のトーンスケーリングパラメータは、倍増しない場合がある。したがって、SIG-Aフィールドのトーンスケーリングパラメータは、いくつかの帯域幅についてデータ部分のトーンスケーリングパラメータとは異なる場合がある。SIG-Bトーンスケーリングパラメータは、図16に示されたように、帯域幅ごとにデータ部分のトーンスケーリングパラメータと同じ場合がある。
【００６８】
図17は、サブ1GHzワイヤレスネットワーク内のトーンスケーリングパラメータを制御する方法1700の特定の実施形態のフローチャートである。例示的な実施形態では、方法1700は、図1の送信機110によって実行することができる。
【００６９】
方法1700は、1702で、特定の帯域幅で動作するサブ1GHzワイヤレスネットワークを介してパケットを通信する際に使用する1つまたは複数のトーンスケーリングパラメータを送信機で選択することを含んでよい。1つまたは複数のトーンスケーリングパラメータは、パケットのフレームフォーマットおよび特定の帯域幅に少なくとも部分的に基づいて、選択することができる。たとえば、図1では、送信機110は、1つまたは複数のトーンスケーリングパラメータ113を選択することができる。例示的な実施形態では、トーンスケーリングパラメータは、図16のトーンスケーリングパラメータ1600のうちの1つまたは複数であり得る。
【００７０】
方法1700はまた、1704で、1つまたは複数のトーンスケーリングパラメータに従ってパケットの1つまたは複数のフィールドをスケーリングすることを含んでパケットを生成することを含んでよい。たとえば、パケットがSUフレームフォーマットのパケットであり、帯域幅が1MHz以上であるとき、STF、LTF_1、SIG、MIMO-LTF、および/またはデータなどのフィールドは、トーンスケーリングパラメータによってスケーリングすることができる。別の例として、パケットがMUフレームフォーマットのパケットであり、帯域幅が1MHzよりも大きいとき、STF、LTF_1、SIG-A、MU-STF、MIMO-LTF、SIG-B、および/またはデータなどのフィールドをスケーリングすることができる。
【００７１】
方法1700はさらに、1706で、送信機から受信機にパケットを送ることを含んでよい。たとえば、図1では、送信機110は、受信機120にパケット130を送ることができる。
【００７２】
様々なデータ構造が示され、テーブルとして記載されたが、他のタイプのデータ構造を、記載された技法と連携して使用できることに留意されたい。さらに、いくつかのデータ構造は結合することができ、他のデータ構造は分割することができる。たとえば、帯域幅/空間ストリームの組合せごとに異なるMCSテーブルを使用する代わりに、特定の実施形態は、帯域幅、空間ストリームの数、およびMCSインデックスによってインデックス付けされた１つのMCSテーブルを利用することができる。別の例として、１つのタイミングパラメータテーブルまたはトーンスケーリングパラメータテーブルを使用する代わりに、複数のテーブル(たとえば、帯域幅、フレームフォーマット、または帯域幅/フレームフォーマットの組合せごとに異なるテーブル)を使用することができる。したがって、図示されたデータ構造よりも多い、少ない、および/または異なるタイプのデータ構造を、記載された技法と連携して使用することができる。
【００７３】
図18は、モバイル通信デバイス1800のブロック図である。特定の実施形態では、モバイル通信デバイス1800またはその構成要素は、図1の送信機110、図1の受信機120、送受信機、またはそれらの任意の組合せを含むか、またはそれらに含まれる。さらに、図11、図12、図15、および/または図17に記載された方法の全部または一部は、モバイル通信デバイス1800もしくはその構成要素で、またはそれらによって実行することができる。モバイル通信デバイス1800は、メモリ1832に結合された、デジタル信号プロセッサ(DSP)などのプロセッサ1810を含む。
【００７４】
メモリ1832は、命令1860を記憶する非一時的有形コンピュータ可読記憶デバイスおよび/または非一時的有形プロセッサ可読記憶デバイスであり得る。命令1860は、図11、図12、図15、および/または図17を参照して記載された方法などの、本明細書に記載された1つまたは複数の機能または方法を実行するように、プロセッサ1810によって実行可能であり得る。メモリ1832はまた、MCSテーブル1861、タイミングパラメータ1862、およびトーンスケーリングパラメータ1863を記憶することができる。MCSテーブル1861は、図1のMCSテーブル111、図1のMCSテーブル121、図2〜図10に示されたMCSテーブル、またはそれらの任意の組合せを含んでよい。タイミングパラメータ1862は、図1のタイミングパラメータ112、図1のタイミングパラメータ122、図14のタイミングパラメータ1400、またはそれらの任意の組合せを含んでよい。トーンスケーリングパラメータ1863は、図1のトーンスケーリングパラメータ113、図1のトーンスケーリングパラメータ123、図16のトーンスケーリングパラメータ1600、またはそれらの任意の組合せを含んでよい。
【００７５】
プロセッサ1810はまた、本明細書に記載されたデバイス構成要素に関係する命令を含むか、実装するか、または実行することができる。たとえば、プロセッサ1810は、エンコーダ1891(たとえば、図1のパケット作成器/エンコーダ114)および/またはデコーダ1892(たとえば、図1のパケット抽出器/デコーダ124)を含むか、または実装することができる。
【００７６】
図18はまた、プロセッサ1810およびディスプレイ1828に結合されたディスプレイコントローラ1826を示す。コーダ/デコーダ(コーデック)1834も、プロセッサ1810に結合することができる。スピーカ1836およびマイクロフォン1838は、コーデック1834に結合することができる。図18はまた、ワイヤレスコントローラ1840がプロセッサ1810に結合することができ、ワイヤレスコントローラ1840が送受信機1850を介してアンテナ1842と通信していることを示す。ワイヤレスコントローラ1840、送受信機1850、およびアンテナ1842は、こうして、モバイル通信デバイス1800によりワイヤレス通信を可能にするワイヤレスインターフェースを表すことができる。たとえば、ワイヤレス通信は、図1のワイヤレスネットワーク140などのサブ1GHzワイヤレスネットワーク(たとえば、IEEE802.11ahワイヤレスネットワーク)を介してよい。そのようなワイヤレスインターフェースは、図1のパケット130を送信または受信するために使用することができる。モバイル通信デバイス1800は、多数のワイヤレスインターフェースを含む場合があり、様々なワイヤレスネットワークは、様々なネットワーキング技術またはネットワーキング技術の組合せをサポートするように構成される。
【００７７】
図18はモバイル通信デバイスを示すが、サブ1GHzワイヤレスネットワーク(たとえば、IEEE802.11ahワイヤレスネットワーク)を介して他のタイプのデバイスが通信できることに留意されたい。いくつかのデバイスは、図18に示された構成要素よりも多い、少ない、および/または異なる構成要素を含んでよい。たとえば、IEEE802.11ahワイヤレスセンサは、ディスプレイ1828、スピーカ1836、またはマイクロフォン1838を含まない場合がある。
【００７８】
特定の実施形態では、プロセッサ1810、ディスプレイコントローラ1826、メモリ1832、コーデック1834、ワイヤレスコントローラ1840、および送受信機1850は、システムインパッケージデバイスまたはシステムオンチップデバイス1822に含まれる。特定の実施形態では、入力デバイス1830および電源1844は、システムオンチップデバイス1822に結合される。さらに、特定の実施形態では、図18に示されたように、ディスプレイデバイス1828、入力デバイス1830、スピーカ1836、マイクロフォン1838、アンテナ1842、および電源1844は、システムオンチップデバイス1822の外部にある。しかしながら、ディスプレイデバイス1828、入力デバイス1830、スピーカ1836、マイクロフォン1838、アンテナ1842、および電源1844の各々は、インターフェースまたはコントローラなどの、システムオンチップデバイス1822の構成要素に結合することができる。
【００７９】
記載された実施形態と連携して、装置は、1つまたは複数のデータ構造を記憶するための手段を含む。1つまたは複数のデータ構造は、サブ1ギガヘルツワイヤレスネットワークの複数のフレームフォーマットおよび複数の帯域幅用のタイミングパラメータを示す。たとえば、記憶するための手段は、図1の送信機110の構成要素(たとえば、メモリまたはデータ記憶デバイス)、図1の受信機120の構成要素(たとえば、メモリまたはデータ記憶デバイス)、図18のメモリ1832、データを記憶するように構成された別のデバイス、またはそれらの任意の組合せを含んでよい。装置はまた、特定の帯域幅で動作するサブ1ギガヘルツワイヤレスネットワークを介してパケットを通信する際に使用するフレームフォーマットを選択するための手段を含む。フレームフォーマットは、特定の帯域幅に少なくとも部分的に基づいて選択される。たとえば、選択するための手段は、図1のパケット作成器/エンコーダ114、図1のパケット抽出器/デコーダ124、図18のプロセッサ1810、図18のエンコーダ1891、図18のデコーダ1892、フレームフォーマットを選択するように構成された別のデバイス、またはそれらの任意の組合せを含んでよい。
【００８０】
装置はさらに、選択されたフレームフォーマットおよび特定の帯域幅に基づいて、1つまたは複数のタイミングパラメータを決定するための手段を含む。たとえば、決定するための手段は、図1のパケット作成器/エンコーダ114、図1のパケット抽出器/デコーダ124、図18のプロセッサ1810、図18のエンコーダ1891、図18のデコーダ1892、タイミングパラメータを決定するように構成された別のデバイス、またはそれらの任意の組合せを含んでよい。装置は、選択されたフレームフォーマットおよび1つまたは複数のタイミングパラメータに従ってパケットを生成するための手段を含む。たとえば、生成するための手段は、図1のパケット作成器/エンコーダ114、図1のパケット抽出器/デコーダ124、図18のプロセッサ1810、図18のエンコーダ1891、図18のデコーダ1892、パケットを生成するように構成された別のデバイス、またはそれらの任意の組合せを含んでよい。
【００８１】
本明細書で開示された実施形態に関して記載された様々な例示的な論理ブロック、構成、モジュール、回路、およびアルゴリズムステップは、電子ハードウェア、コンピュータソフトウェア、または両方の組合せとして実装され得ることを、当業者はさらに諒解されよう。様々な例示的な構成要素、ブロック、構成、モジュール、回路、およびステップが、概してそれらの機能に関して上述された。そのような機能がハードウェアとして実装されるか、またはソフトウェアとして実装されるかは、特定の適用例および全体的なシステムに課される設計制約に依存する。当業者は、記載された機能を特定の適用例ごとに様々な方法で実装できるが、そのような実装の決定は、本開示の範囲からの逸脱を生じるものと解釈されるべきではない。
【００８２】
本明細書で開示された実施形態に関して記載された方法またはアルゴリズムのステップは、直接ハードウェアで具現化されるか、プロセッサによって実行されるソフトウェアモジュールで具現化されるか、またはその2つの組合せで具現化され得る。ソフトウェアモジュールは、ランダムアクセスメモリ(RAM)、フラッシュメモリ、読取り専用メモリ(ROM)、プログラマブル読取り専用メモリ(PROM)、消去可能プログラマブル読取り専用メモリ(EPROM)、電気的消去可能プログラマブル読取り専用メモリ(EEPROM)、レジスタ、ハードディスク、リム-バルディスク、コンパクトディスク読取り専用メモリ(CD-ROM)、または当分野で知られている任意の他の形態の非一時的記憶媒体の中に常駐することができる。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体は、特定用途向け集積回路(ASIC)に存在し得る。ASICは、コンピューティングデバイスまたはユーザ端末(たとえば、モバイル電話もしくはPDA)に存在し得る。代替として、プロセッサおよび記憶媒体は、コンピューティングデバイスまたはユーザ端末内の個別構成要素として存在し得る。
【００８３】
開示された実施形態の上記の説明は、当業者が開示された実施形態を作成し使用することを可能にするために提供される。これらの実施形態に対する様々な修正形態は、当業者には容易に明らかであり、本明細書で定義された原理は、本開示の範囲から逸脱することなく他の実施形態に適用することができる。したがって、本開示は、本明細書で開示された実施形態に限定されるものではなく、以下の特許請求の範囲によって定義されるような原理および新規の特徴に一致する、可能な最大の範囲を与えられるべきである。
【符号の説明】
【００８４】
100  システム
110  送信機
111  MCSテーブル
112  タイミングパラメータ
113  トーンスケーリングパラメータ
114  パケット作成器/エンコーダ
120  受信機
121  MCSテーブル
122  タイミングパラメータ
123  トーンスケーリングパラメータ
124  パケット抽出器/デコーダ
130  パケット
140  サブ1GHzワイヤレスネットワーク
1300  パケットを表すために使用できるフレームフォーマット
1310  シングルユーザ(SU)フレームフォーマット
1311  ショートトレーニングフィールド(STF)
1312  ロングトレーニングフィールド(LTF)
1313  SIGフィールド
1314  追加LTF
1315  データ部分
1320  マルチユーザ(MU)フレームフォーマット
1321  STF
1322  第1のLTF(LTF_1)
1323  信号A(SIG-A)フィールド
1324  追加STF
1325  追加LTF
1326  信号B(SIG-B)フィールド
1327  データ部分
1330  オムニ部分
1340  MU部分
1400  タイミングパラメータ
1600  トーンスケーリングパラメータ
1800  モバイル通信デバイス
1810  プロセッサ
1822  システムインパッケージデバイスまたはシステムオンチップデバイス
1826  ディスプレイコントローラ
1828  ディスプレイ
1830  入力デバイス
1832  メモリ
1834  コーデック
1836  スピーカ
1838  マイクロフォン
1840  ワイヤレスコントローラ
1842  アンテナ
1844  電源
1850  送受信機
1860  命令
1861  MCSテーブル
1862  タイミングパラメータ
1863  トーンスケーリングパラメータ
1891  エンコーダ
1892  デコーダ
【図１】
2019013047.tif 000003
【図２Ａ】
2019013047.tif 000004
【図２Ｂ】
2019013047.tif 000005
【図２Ｃ】
2019013047.tif 000006
【図３Ａ】
2019013047.tif 000007
【図３Ｂ】
2019013047.tif 000008
【図３Ｃ】
2019013047.tif 000009
【図４Ａ】
2019013047.tif 000010
【図４Ｂ】
2019013047.tif 000011
【図４Ｃ】
2019013047.tif 000012
【図４Ｄ】
2019013047.tif 000013
【図５Ａ】
2019013047.tif 000014
【図５Ｂ】
2019013047.tif 000015
【図５Ｃ】
2019013047.tif 000016
【図５Ｄ】
2019013047.tif 000017
【図６Ａ】
2019013047.tif 000018
【図６Ｂ】
2019013047.tif 000019
【図６Ｃ】
2019013047.tif 000020
【図６Ｄ】
2019013047.tif 000021
【図７Ａ】
2019013047.tif 000022
【図７Ｂ】
2019013047.tif 000023
【図７Ｃ】
2019013047.tif 000024
【図７Ｄ】
2019013047.tif 000025
【図８Ａ】
2019013047.tif 000026
【図８Ｂ】
2019013047.tif 000027
【図９Ａ】
2019013047.tif 000028
【図９Ｂ】
2019013047.tif 000029
【図９Ｃ】
2019013047.tif 000030
【図９Ｄ】
2019013047.tif 000031
【図１０Ａ】
2019013047.tif 000032
【図１０Ｂ】
2019013047.tif 000033
【図１０Ｃ】
2019013047.tif 000034
【図１０Ｄ】
2019013047.tif 000035
【図１１】
2019013047.tif 000036
【図１２】
2019013047.tif 000037
【図１３】
2019013047.tif 000038
【図１４】
2019013047.tif 000039
【図１５】
2019013047.tif 000040
【図１６】
2019013047.tif 000041
【図１７】
2019013047.tif 000042
【図１８】
2019013047.tif 000043
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
特定の帯域幅で動作するサブ1ギガヘルツワイヤレスネットワークを介してパケットを通信する際に使用するフレームフォーマットを送信機で選択するステップであって、前記フレームフォーマットが前記特定の帯域幅に基づいて選択される、ステップと、
前記選択されたフレームフォーマットおよび前記特定の帯域幅に基づいて、1つまたは複数のタイミングパラメータを決定するステップと、
前記選択されたフレームフォーマットおよび前記1つまたは複数のタイミングパラメータに従って前記パケットを生成するステップであって、前記パケットは、前記特定の帯域幅と使用中の空間ストリームの数とに従って定義された複数のMCSテーブルから選択されたMCSテーブルに対応するMCSインデックスを含み、前記MCSインデックスに基づいて判断された少なくとも１つの符号化特性に基づいて符号化される、ステップと、
前記送信機から受信機に前記パケットを送るステップと
を含み、
前記特定の帯域幅が1メガヘルツであるとき、前記選択されたフレームフォーマットが第1のフレームフォーマットであり、
前記特定の帯域幅が1メガヘルツよりも大きいとき、前記選択されたフレームフォーマットが前記第1のフレームフォーマットまたは第2のフレームフォーマットであり、
前記第2のフレームフォーマットが第1の部分と第2の部分とを備え、前記第1の部分は、ショートトレーニングフィールド(STF)と、第1のロングトレーニングフィールド(LTF)と、信号Aフィールド(SIG-A)とを備えたオムニ部分を含み、前記第2の部分は、第2のSTFと、1つまたは複数の信号Bフィールド(SIG-B)と、データフィールドとを備えたデータ部分を含む、
方法。
【請求項２】
前記サブ1ギガヘルツワイヤレスネットワークが、IEEE（アイ・トリプル・イー）802.11ahプロトコルに従って動作する、請求項1に記載の方法。
【請求項３】
前記第1のフレームフォーマットが、ショートトレーニングフィールド(STF)と、ロングトレーニングフィールド(LTF)と、信号フィールド(SIG)と、第2のデータフィールドとを備える、請求項1に記載の方法。
【請求項４】
2つ以上の空間ストリームが使用中であるとき、前記第1のフレームフォーマットが、1つまたは複数の追加LTFをさらに備える、請求項3に記載の方法。
【請求項５】
2つ以上の空間ストリームが使用中であるとき、前記第2のフレームフォーマットが、1つまたは複数の追加LTFをさらに備える、請求項1に記載の方法。
【請求項６】
前記特定の帯域幅が、1メガヘルツ(MHz)、2MHz、4MHz、8MHz、または16MHzを含む、請求項1に記載の方法。
【請求項７】
前記1つまたは複数のタイミングパラメータに、
複合データサブキャリアの数、
パイロットサブキャリアの数、
ガードを除く合計サブキャリアの数、
最も高いデータサブキャリアインデックス、
サブキャリア周波数間隔、
離散フーリエ変換(DFT)期間、
逆DFT(IDFT)期間、
ガードインターバル継続時間、
ダブルガードインターバル継続時間、
ショートガードインターバル継続時間、
ロングガードインターバルを有する直交周波数分割多重(OFDM)シンボル継続時間、
ショートガードインターバルを有するOFDMシンボル継続時間、
OFDMシンボル継続時間、
SERVICEフィールド内のビット数、
バイナリ畳み込み符号エンコーダ当たりのテールビットの数、
ショートトレーニングフィールド(STF)継続時間、
ロングトレーニングフィールド(LTF)継続時間、
信号フィールド(SIG)継続時間、
信号Aフィールド(SIG-A)継続時間、
多入力多出力LTF(MIMO-LTF)継続時間、
ロングフォーマットSTF継続時間、
信号Bフィールド(SIG-B)継続時間、
またはそれらの任意の組合せ
が含まれる、請求項1に記載の方法。
【請求項８】
前記STF継続時間、前記LTF継続時間、ならびに前記SIG継続時間および前記SIG-A継続時間のうちの1つが、各々、前記特定の帯域幅が1メガヘルツよりも大きいときより、前記特定の帯域幅が1メガヘルツであるときの方が長い、請求項7に記載の方法。
【請求項９】
前記サブキャリア周波数間隔が31.25キロヘルツ(KHz)であり、
前記DFT期間が32マイクロ秒(μs)であり、
前記IDFT期間が32μsであり、
前記ガードインターバル継続時間が8μsであり、
ダブルガードインターバル継続時間が16μsであり、
ショートガードインターバル継続時間が4μsであり、
ロングガードインターバルを有する前記OFDMシンボル継続時間が40μsであり、
ショートガードインターバルを有する前記OFDMシンボル継続時間が36μsであり、
前記OFDMシンボル継続時間が40μsまたは36μsであり、
前記SERVICEフィールド内の前記ビット数が16であり、
前記バイナリ畳み込み符号エンコーダ当たりのテールビットの数が6であり、
前記MIMO-LTF継続時間が40μsである、
請求項7に記載の方法。
【請求項１０】
前記特定の帯域幅が1メガヘルツ(MHz)であるとき、
前記複合データサブキャリアの数が24であり、
前記パイロットサブキャリアの数が2であり、
前記ガードを除く合計サブキャリアの数が26であり、
前記最も高いデータサブキャリアインデックスが13であり、
前記STF継続時間が160マイクロ秒(μs)であり、
前記LTF継続時間が160μsであり、
前記SIG継続時間が240μsまたは200μsである、
請求項7に記載の方法。
【請求項１１】
前記特定の帯域幅が1メガヘルツ(MHz)よりも大きいとき、
前記STF継続時間が80マイクロ秒(μs)であり、
前記LTF継続時間が8μsであり、
前記SIG継続時間が80μsであり、
前記SIG-A継続時間が80μsであり、
前記ロングフォーマットSTF継続時間が40μsであり、
前記SIG-B継続時間が40μsである、
請求項7に記載の方法。
【請求項１２】
前記特定の帯域幅が2メガヘルツ(MHz)であるとき、
前記複合データサブキャリアの数が52であり、
前記パイロットサブキャリアの数が4であり、
前記ガードを除く合計サブキャリアの数が56であり、
前記最も高いデータサブキャリアインデックスが28である、
請求項7に記載の方法。
【請求項１３】
前記特定の帯域幅が4メガヘルツ(MHz)であるとき、
前記複合データサブキャリアの数が108であり、
前記パイロットサブキャリアの数が6であり、
前記ガードを除く合計サブキャリアの数が114であり、
前記最も高いデータサブキャリアインデックスが58であるか、
または、
前記特定の帯域幅が8メガヘルツ(MHz)であるとき、
前記複合データサブキャリアの数が234であり、
前記パイロットサブキャリアの数が8であり、
前記ガードを除く合計サブキャリアの数が242であり、
前記最も高いデータサブキャリアインデックスが122であるか、
または、
前記特定の帯域幅が16メガヘルツ(MHz)であるとき、
前記複合データサブキャリアの数が468であり、
前記パイロットサブキャリアの数が16であり、
前記ガードを除く合計サブキャリアの数が484であり、
前記最も高いデータサブキャリアインデックスが250である、
請求項7に記載の方法。
【請求項１４】
サブ1ギガヘルツワイヤレスネットワークの複数のフレームフォーマットおよび複数の帯域幅用のタイミングパラメータを示す1つまたは複数のデータ構造を記憶するための手段と、
特定の帯域幅で動作するサブ1ギガヘルツワイヤレスネットワークを介してパケットを通信する際に使用するフレームフォーマットを選択するための手段であって、前記フレームフォーマットが前記特定の帯域幅に基づいて選択される、手段と、
前記選択されたフレームフォーマットおよび前記特定の帯域幅に基づいて、1つまたは複数のタイミングパラメータを決定する手段と、
前記選択されたフレームフォーマットおよび前記1つまたは複数のタイミングパラメータに従って前記パケットを生成する手段であって、前記パケットは、前記特定の帯域幅と使用中の空間ストリームの数とに従って定義された複数のMCSテーブルから選択されたMCSテーブルに対応するMCSインデックスを含み、前記MCSインデックスに基づいて判断された少なくとも１つの符号化特性に基づいて符号化される、手段と、
を備え、
前記特定の帯域幅が1メガヘルツであるとき、前記選択されたフレームフォーマットが第1のフレームフォーマットであり、
前記特定の帯域幅が1メガヘルツよりも大きいとき、前記選択されたフレームフォーマットが前記第1のフレームフォーマットまたは第2のフレームフォーマットであり、
前記第2のフレームフォーマットが第1の部分と第2の部分とを備え、前記第1の部分は、ショートトレーニングフィールド(STF)と、第1のロングトレーニングフィールド(LTF)と、信号Aフィールド(SIG-A)とを備えたオムニ部分を含み、前記第2の部分は、第2のSTFと、1つまたは複数の信号Bフィールド(SIG-B)と、データフィールドとを備えたデータ部分を含む、
装置。
【請求項１５】
実行されたときに請求項１乃至１３の何れか1項に記載の方法を少なくとも1つのコンピュータに実施させるための実行可能命令を含む、コンピュータ・プログラム。
【外国語明細書】
2019013047000001.pdf